(57)【要約】【課題】釣糸を円滑に竿体内部に導入可能な中通し竿を提供する。【解決手段】この中通し竿の元竿１の釣糸導入口１ａ付近に装着される釣糸ガイド１０は、釣糸導入口１ａの穂先側の元竿１の周面に固定される固定部１１と、固定部１１の竿元側に連続し釣糸導入口１ａの上級を跨ぐようにして釣糸導入口１ａの竿元側に至る本体部１２と、本体部１２の竿元側端部に、設けられ元竿１の周面に当接可能な当接部１３と、当接部１３を元竿１の周面に脱着自在に固定する固定リング１４と、本体部１２の竿元側に配置される第１ガイドリング１５と、本体部１２の穂先側部分に釣糸導入口１ａ方向に垂れ下がって配置されている第２ガイドリング１６とを有する。当接面１３の元竿１への当接を解除することで、第２ガイドリング１６は釣糸導入口１ａから外部に突出する。【選択図】　　図２
2004105006.tif 000002
【特許請求の範囲】
【請求項１】
複数の竿体を振出形式に連結してなる、リールからの釣糸を竿体内部に挿通させる中通し竿であって、
前記リールからの釣糸を竿体内部に導入するための釣糸導入口を有する竿体と、
前記竿体の釣糸導入口付近の周面に配置され前記リールからの釣糸を前記釣糸導入口から前記竿体内部に案内するための釣糸導入ガイドとを備え、
前記釣糸導入ガイドは、前記竿体の釣糸導入口の穂先側の周面に固定される固定部と、前記固定部の竿元側に連続し前記釣糸導入口の上空を跨ぐようにして前記釣糸導入口の竿元側に至る本体部と、前記本体部の竿元側端部に設けられ前記竿体の周面に当接可能な当接部と、前記当接部を前記竿体周面に脱着自在に固定する固定手段と、前記本体部の竿元側に配置される第１ガイドリングと、前記本体部の穂先側部分に前記釣糸導入口方向に垂れ下がって配置されている第２ガイドリングとを有し、
前記釣糸導入ガイドは、当接部が前記竿体周面からその上空方向に離脱すると共に前記第２ガイドリングが前記釣糸導入口から前記竿体の外部に飛び出す離脱状態と、前記当接部が前記竿体周面に当接すると共に前記第２ガイドリングが前記釣糸導入口から竿体内部に挿入される当接状態とを採り得る、中通し竿。
【発明の詳細な説明】
【０００１】
【発明の属する技術分野】
本発明は、内部に釣糸を挿通する中通し竿と呼ばれるタイプの釣竿、特に、リールからの釣糸を竿体内部に導入するための釣糸導入口が形成される竿体に関する。
【０００２】
【従来の技術】
いわゆる中通し竿と呼ばれるタイプの釣竿は一般に複数の竿体を連結して構成されており、その竿体の中で竿元側に位置する竿体には、リールからの釣糸を竿体内部に導入するために竿体外部と内部の釣糸通路を連通する釣糸導入口が形成されている。
【０００３】
従来の中通し竿の釣糸導入口は一般に竿体の長手方向に長い楕円型をなし、釣糸導入口を跨ぐようにして又は釣糸導入口の竿元側に、リールからの釣糸を釣糸導入口に案内するための釣糸導入ガイドが必要に応じて設置されている。この釣糸導入ガイドはセラミックスなどの硬質部材からなるガイドリングを有しており、このガイドリングに釣糸を挿通させて、釣糸を案内している（例えば、特許文献１参照）。このような中通し竿では、リールからの釣糸は釣糸導入ガイドを介して釣糸導入口より竿体内部へ導かれ、竿体内部の釣糸通路を順次穂先側に至り、最も穂先側の竿体の穂先側端部より外部へ導出されることになるのである。
【０００４】
ところで、このような中通し竿において、リールからの釣糸を円滑に竿体内に導入して穂先側の竿体内部へと導くためには、竿体の釣糸導入口の内部の位置まで入り込むようなガイドリングを配置するのが好ましい。しかし、竿体の内部までガイドリングを配置すると、振出形式の釣竿においては、穂先側の竿体を振出形式に竿元側の竿体内に収納する際に、この竿体の釣糸導入口の内部の位置まで入り込むようなガイドリングが邪魔になる。
【０００５】
竿体内部へ所定の部材が自在に出入りする部分を設けた釣糸ガイドが提案されているが（特許文献２参照）、その構造は複雑であり操作も煩雑である。また、この特許文献２の技術は釣糸を竿体内部において案内する趣旨のものでもない。
【０００６】
【特許文献１】
特許第２７３５１１１号公報（第４〜５欄，図３）
【０００７】
【特許文献２】
特開２００１−４５９２３号公報（第４頁，図２）
【０００８】
【発明が解決しようとする課題】
本発明の課題は、釣糸を円滑に竿体内部に導入可能な中通し竿を提供することにある。
【０００９】
【課題を解決するための手段】
発明１の中通し竿は、複数の竿体を振出形式に連結してなりリールからの釣糸を竿体内部に挿通させる中通し竿であって、リールからの釣糸を竿体内部に導入するための釣糸導入口を有する竿体と、竿体の釣糸導入口付近の周面に配置されリールからの釣糸を釣糸導入口から竿体内部に案内するための釣糸導入ガイドとを備えている。
【００１０】
この釣糸導入ガイドは、竿体の釣糸導入口の穂先側の周面に固定される固定部と、固定部の竿元側に連続し釣糸導入口の上空を跨ぐようにして釣糸導入口の竿元側に至る本体部と、本体部の竿元側端部に設けられ竿体の周面に当接可能な当接部と、当接部を竿体周面に脱着自在に固定する固定手段と、本体部の竿元側に配置される第１ガイドリングと、本体部の穂先側部分に釣糸導入口方向に垂れ下がって配置されている第２ガイドリングとを有している。そして、この釣糸導入ガイドは、当接部が竿体周面からその上空方向に離脱すると共に第２ガイドリングが釣糸導入口から竿体の外部に飛び出す離脱状態と、当接部が竿体周面に当接すると共に第２ガイドリングが釣糸導入口から竿体内部に挿入される当接状態とを採り得るものである。
【００１１】
この中通し竿では、各竿体を振出形式に収納する場合等にあっては、固定手段による当接部の竿体への当接を解除し離脱状態としておく。この状態では、第２ガイドリングは竿体外部に飛び出しているので、各竿体の収納を阻害することはない。一方、各竿体を振出形式に引き延ばして一本の長い釣竿とし釣りを行う場合には、当接部を竿体に当接させて固定手段によって竿体周面に当接部を固定して当接状態とする。この状態では、第２ガイドリングは釣糸導入口から竿体内部に挿入される。そして、リールからの釣糸を第１ガイドリング，第２ガイドリングと順次挿通させて、釣糸を円滑に竿体内へ案内する。
【００１２】
【発明の実施の形態】
以下、本発明の一実施形態について、図面を参照しつつ説明する。
本発明の一実施形態を採用した釣竿は、図１に示すように、元竿１と、元竿１の穂先側に連結される元上竿２，中竿３，穂先竿４とを有している。これらの各竿体は、所定のプリプレグ素材から構成される先細り筒状部材である。順次竿元側の竿体内部に収納可能な振出形式で連結されており、それぞれの竿体の穂先側端部内周面や竿元側端部外周面は連結時に相互に嵌合するための嵌合部分となっている。また、各竿体の内部は釣糸が挿通する釣糸通路となっており、その内周面には、挿通する釣糸を支持し接触面積を低減させるために螺旋状に突起を形成してもよい。
【００１３】
元竿１は、竿元側の周面に設けられたリール５を脱着自在に装着可能なリールシート６を有している。また、穂先側の外周面には、リール５からの釣糸Ｌを竿体内部に導入するための釣糸導入口１ａが形成されており、この釣糸導入口１ａの開口には固定リング７がはめ込まれており（図２等参照）、さらに、釣糸導入口１ａ付近の周面には釣糸導入ガイド１０が装着されている。
【００１４】
元上竿２〜穂先竿４は順次元竿１の穂先側に連結され、その内部を釣糸Ｌが挿通する。穂先竿４の穂先側端部にはトップガイド８が脱着自在に装着されており、各竿体の内部を挿通して穂先側に至る釣糸Ｌはトップガイド８から外部に導出されることになる。
図２及び図３に詳しく示すように、釣糸導入ガイド１０は、リール５からの釣糸Ｌを元竿１の内部に案内するための部材である。この釣糸導入ガイド１０は、元竿１の釣糸導入口１ａの穂先側の周面に固定される固定部１１と、固定部１１の竿元側に連続しており釣糸導入口１ａの上空を跨ぐようにして釣糸導入口１ａの竿元側に至る本体部１２と、本体部１２の竿元側端部に設けられ元竿１の周面に当接可能な当接部１３と、当接部１３を元竿１の周面に脱着自在に固定する固定リング１４と、本体部１２の竿元側に配置される第１ガイドリング１５と、本体部１２の穂先側部分に釣糸導入口１ａ方向に垂れ下がって配置されている第２ガイドリング１６とを有している。
【００１５】
固定部１１〜当接部１３は一定の弾性を有する金属若しくは硬質合成樹脂から一体的に形成されている。例えば、一枚の金属板から打ち抜き加工等によって形成される。固定部１１は元竿１の周面に当接している部分である。例えば、元竿１と共に巻糸などで巻回されて元竿１の周面に固定されている。
本体部１２は固定部１１より竿元側に至るにつれて徐々に元竿１から離れるように傾斜する緩傾斜部分と、緩傾斜部分の最も竿元側の頭頂部分から元竿１の周面に向かって急傾斜する急傾斜部分とを有している。緩傾斜部分は元竿１の釣糸導入口１ａの上空を跨いで釣糸導入口１ａの竿元側に至っており、緩傾斜部分と釣糸導入口１ａとの間に空隙が形成されている。
【００１６】
この本体部１２の急傾斜部分はその途中で幅方向に円形に膨らんでおり、この膨らんだ部分には貫通孔が形成されている（図４参照）。そして、この貫通孔に第１ガイドリング１５が装着されている。第１ガイドリング１５はセラミックスなどの硬質部材から形成されるリング部材である。釣糸Ｌがこのガイドリングを挿通して案内される。また、本体部１２の緩傾斜部分の穂先側、詳しくは、釣糸導入口１ａの穂先側端部付近においては、釣糸導入口１ａ側に垂れ下がる部分が形成され、その垂れ下がる部分の先端が幅方向に円形に膨らんでいる（図５参照）。この膨らんだ部分にも貫通孔が形成されており、第２ガイドリング１６が装着されている。第２ガイドリング１６は第１ガイドリング１５と同様のセラミックス等の硬質リングからなるリング部材である。
【００１７】
本体部１２の竿元側端部、即ち、急傾斜部の竿元側は元竿１の軸方向に折り曲げられて元竿１の周面に当接可能な当接部１３となっている。固定リング１４は、この当接部１３を元竿１の周面に固定するためのリングである。固定リング１４は当接部１３を内嵌可能な程度の内径を有し、元竿１の周面に軸方向にスライド移動自在に配置される（図２及び図３参照）。例えば、ゴム素材等から固定リング１４を形成する。
【００１８】
この釣糸導入ガイド１０の本体部１２は、当接部１３が元竿１の周面から上空方向に離れるように、その素材の弾性により付勢されている。即ち、釣人が固定リング１４を竿元側にスライド移動させて当接部１３をフリーにした場合、図３に示すように、釣糸導入ガイド１０の竿元側が元竿１の周面から離れた状態となる（離脱状態）。この状態にあっては、本体部１２の竿元側ほど元竿１の周面から離れて、第２ガイドリング１６も釣糸導入口１ａより元竿１の外部に飛び出した状態となる。
【００１９】
一方、本体部１２の弾性に逆らって釣人が当接部１３を元竿１の周面に当接させ、固定リング１４を穂先側にスライド移動させて当接部１３を元竿１の周面に固定した場合（当接状態）、図２に示すように、第２ガイドリング１６が釣糸導入口１ａから竿体内部に挿入された状態となる。
各竿体を振出形式に収納する場合等にあっては、釣糸導入ガイド１０を離脱状態としておくことで、穂先側に位置する元上竿２などの元竿１への収納を阻害することはない。一方、各竿体を振出形式に引き延ばして一本の長い釣竿として釣りを行う場合には、当接状態とする。この状態では、リール５からの釣糸Ｌを第１ガイドリング１５，第２ガイドリング１６と順次挿通させて、釣糸Ｌを円滑に元竿１内へ、さらにはその穂先側の元上竿２内へと案内することになる。
【００２０】
［他の実施形態］
（ａ）上記実施形態は、元竿１に釣糸導入口１ａを設けた中通し竿において説明しているが、中通し竿を構成する竿体の数は上記実施形態に限定されるものではなく、釣糸導入口を設ける竿体も元竿に限定されるものではない。
（ｂ）釣糸導入ガイドの本体部などを超弾性を有するチタン合金などから形成すれば、操作性がさらに向上することになる。
（ｃ）固定手段としては、例えば、図６に示すように、竿体の周面に穂先側方向に開口し軸方向に伸びるフード部材３０を配置するものでもよい。釣糸導入ガイドの弾性を利用してこれを変形させ、その当接面をフード部材３０の開口に出し入れする。
【００２１】
【発明の効果】
本発明に係る中通し竿では釣糸を円滑に竿体内部に導入できる。例えば、リールからの釣糸を釣糸導入口から竿体内部に導入する際に、釣糸が不用意に釣糸導入口の周面に接触したりすることがない。
【図面の簡単な説明】
【図１】本発明の一実施形態を採用した釣竿の全体図。
【図２】図１の釣糸導入ガイド１０付近を示した図（当接状態）。
【図３】図１の釣糸導入ガイド１０付近を示した図（離脱状態）。
【図４】図１の釣糸導入ガイド１０の第１ガイドリング１５付近の軸方向視図。
【図５】図１の釣糸導入ガイド１０の第２ガイドリング１６付近の軸方向視図。
【図６】本発明の他の実施形態を示した図。
【符号の説明】
１　元竿
１ａ　釣糸導入口
１０　釣糸導入ガイド
１１　固定部
１２　本体部
１３　当接部
１４　固定リング
１５　第１ガイドリング
１６　第２ガイドリング
【図１】
2004105006.tif 000003
【図２】
2004105006.tif 000004
【図３】
2004105006.tif 000005
【図４】
2004105006.tif 000006
【図５】
2004105006.tif 000007
【図６】
2004105006.tif 000008